(57)【特許請求の範囲】
【請求項１】
ブルートゥーストランシーバ及び無線ネットワークトランシーバを有するマルチラジオプラットフォームであって、前記無線ネットワークトランシーバは、
前記ブルートゥーストランシーバが送信中である場合には該無線ネットワークトランシーバによって受信される信号に送信アクティブ時ノイズ相殺行列を適用し、
前記ブルートゥーストランシーバが送信中でない場合には該無線ネットワークトランシーバによって受信される信号に送信非アクティブ時ノイズ相殺行列を適用し、及び
前記ブルートゥーストランシーバが送信中であるかどうかを示す送信アクティブ信号を前記ブルートゥーストランシーバから受信し、
前記ブルートゥーストランシーバが送信しようとし且つ前記無線ネットワークトランシーバが受信しようとしている場合において、前記ブルートゥーストランシーバと前記無線ネットワークトランシーバとの間の分離度がより小さい場合、当該マルチラジオプラットフォームは、前記無線ネットワークトランシーバが受信中である場合に前記ブルートゥーストランシーバが送信することを妨げるよう時分割多重化（ＴＤＭ）技術を使用しかつ前記送信非アクティブ時ノイズ相殺行列を適用し、
前記ブルートゥーストランシーバが送信しようとし且つ前記無線ネットワークトランシーバが受信しようとしている場合において、前記ブルートゥーストランシーバと前記無線ネットワークトランシーバとの間の分離度がより大きい場合、当該マルチラジオプラットフォームは、前記送信アクティブ時ノイズ相殺行列又は前記送信非アクティブ時ノイズ相殺行列のいずれかを適用する、マルチラジオプラットフォーム。
【請求項２】
前記無線ネットワークトランシーバは、
前記送信アクティブ時ノイズ相殺行列又は前記送信非アクティブ時ノイズ相殺行列のいずれかを適用することによって前記送信アクティブ信号の受信に応答し、
前記ブルートゥーストランシーバの送信アクティブ周期の間干渉サンプリングを実行し、前記送信アクティブ周期の間に実行された干渉サンプリングに基づいて前記送信アクティブ時ノイズ相殺行列を計算し、
前記ブルートゥーストランシーバの送信非アクティブ周期の間干渉サンプリングを実行し、前記送信非アクティブ周期の間に実行された干渉サンプリングに基づいて前記送信非アクティブ時ノイズ相殺行列を計算する、
請求項１に記載のマルチラジオプラットフォーム。
【請求項３】
前記送信アクティブ時ノイズ相殺行列の適用は、前記ブルートゥーストランシーバが送信中である場合に前記ブルートゥーストランシーバによって生じる放射の影響を抑制し、
前記送信非アクティブ時ノイズ相殺行列の適用は、当該マルチラジオプラットフォームの要素によって生じるプラットフォームノイズの影響を抑制する、
請求項１に記載のマルチラジオプラットフォーム。
【請求項４】
前記無線ネットワークトランシーバは、前記ブルートゥーストランシーバによって供給される前記送信アクティブ信号に基づいて前記無線ネットワークトランシーバの受信信号経路内の受信デジタル信号に前記送信アクティブ時ノイズ相殺行列又は前記送信非アクティブ時ノイズ相殺行列のいずれかを選択的に適用する無相関器を有する、
請求項２に記載のマルチラジオプラットフォーム。
【請求項５】
前記無線ネットワークトランシーバは、少なくとも２つの対応するアンテナにより信号を受信するための少なくとも２つの受信信号経路を有し、
送信アクティブ時ノイズ相殺行列及び送信非アクティブ時ノイズ相殺行列は、受信信号経路ごとに、前記アンテナのうち対応する１つのアンテナにより受信される干渉サンプルから生成され、
各受信信号経路に関する雑音相殺行列は、前記受信信号経路に関する無相関器によって適用される、
請求項４に記載のマルチラジオプラットフォーム。
【請求項６】
前記ブルートゥーストランシーバ及び前記無線ネットワークトランシーバは、同一又は近隣の周波数バンド内で動作する、
請求項１に記載のマルチラジオプラットフォーム。
【請求項７】
前記無線ネットワークトランシーバは、ＩＥＥＥ８０２．１６標準規格に従って動作するＷｉＭＡＸトランシーバ、及びＩＥＥＥ８０２．１１標準規格に従って動作するＷＬＡＮトランシーバのうちの少なくとも１つを有する、
請求項６に記載のマルチラジオプラットフォーム。
【請求項８】
前記無線ネットワークトランシーバは、物理層回路及びメディアアクセス制御層回路を有し、
前記物理層回路は、前記送信アクティブ周期の間前記干渉サンプリングを実行し、前記メディアアクセス制御層回路は、前記送信アクティブ時ノイズ相殺行列を計算し、
前記物理層回路は、前記送信非アクティブ周期の間前記干渉サンプリングを実行し、前記メディアアクセス制御層回路は、前記送信非アクティブ時ノイズ相殺行列を計算し、
前記物理層回路は、前記ブルートゥーストランシーバが送信中である場合に前記送信アクティブ時ノイズ相殺行列を適用し、前記ブルートゥーストランシーバが送信中でない場合に前記送信非アクティブ時ノイズ相殺行列を適用する、
請求項２に記載のマルチラジオプラットフォーム。
【請求項９】
前記ブルートゥーストランシーバは、共在インターフェースを介して前記メディアアクセス制御層回路及び前記物理層回路の両方に前記送信アクティブ信号を供給し、
前記メディアアクセス制御層回路がノイズ相殺行列を計算した後、前記メディアアクセス制御層回路は、記憶及び受信信号へのその後の適用のために、前記ノイズ相殺行列を前記物理層回路に与える、
請求項８に記載のマルチラジオプラットフォーム。
【請求項１０】
前記物理層回路は、前記干渉サンプリング及びノイズ相殺行列の選択的な適用を実行する特定用途向け集積回路及びデジタル信号プロセッサのうちの少なくとも１つを有し、前記メディアアクセス制御層回路は、前記ノイズ相殺行列を計算するための１つ以上のソフトウェア構成プロセッサを有する、
請求項８に記載のマルチラジオプラットフォーム。
【請求項１１】
前記物理層回路は、前記干渉サンプリング及びノイズ相殺行列の選択的な適用を実行するための１つ以上のソフトウェア構成プロセッサを有し、前記メディアアクセス制御層回路は、前記ノイズ相殺行列を計算するための１つ以上のソフトウェア構成プロセッサを有する、
請求項８に記載のマルチラジオプラットフォーム。
【請求項１２】
マルチラジオプラットフォームにおいてブルートゥーストランシーバ及び少なくとも１つの無線ネットワークトランシーバの間の干渉を抑制する方法であって、
前記ブルートゥーストランシーバが送信中である場合に前記無線ネットワークトランシーバによって受信される信号に送信アクティブ時ノイズ相殺行列を適用する段階と、
前記ブルートゥーストランシーバが送信中でない場合に前記無線ネットワークトランシーバによって受信される信号に送信非アクティブ時ノイズ相殺行列を適用する段階と
を有し、前記ブルートゥーストランシーバが送信しようとし且つ前記無線ネットワークトランシーバが受信しようとしている場合において、前記ブルートゥーストランシーバと前記無線ネットワークトランシーバとの間の分離度がより小さい場合、前記無線ネットワークトランシーバが受信中である場合には前記ブルートゥーストランシーバが送信することを妨げるよう時分割多重化（ＴＤＭ）技術を使用しかつ前記送信非アクティブ時ノイズ相殺行列を適用し、
前記ブルートゥーストランシーバが送信中しようとし且つ前記無線ネットワークトランシーバが受信しようとしている場合において、前記ブルートゥーストランシーバと前記無線ネットワークトランシーバとの間の分離度がより大きい場合、前記送信アクティブ時ノイズ相殺行列又は前記送信非アクティブ時ノイズ相殺行列のいずれかを適用する、方法。
【請求項１３】
前記ブルートゥーストランシーバが送信中であるかどうかを示す送信アクティブ信号を前記ブルートゥーストランシーバから受信する段階と、
前記送信アクティブ時ノイズ相殺行列又は前記送信非アクティブ時ノイズ相殺行列のいずれかを適用することによって前記送信アクティブ信号の受信に応答する段階と
を更に有する請求項１２に記載の方法。
【請求項１４】
前記ブルートゥーストランシーバの送信アクティブ周期の間干渉サンプリングを実行し、前記送信アクティブ周期の間に実行された干渉サンプリングに基づいて前記送信アクティブ時ノイズ相殺行列を計算する段階と、
前記ブルートゥーストランシーバの送信非アクティブ周期の間干渉サンプリングを実行し、前記送信非アクティブ周期の間に実行された干渉サンプリングに基づいて送信非アクティブ時ノイズ相殺行列を計算する段階と
を更に有する請求項１３に記載の方法。
【請求項１５】
前記干渉サンプリング及び前記適用は、前記無線ネットワークトランシーバの物理層回路によって実行され、前記ノイズ相殺行列は、前記無線ネットワークトランシーバのメディアアクセス制御層回路によって生成され、
当該方法は、前記ブルートゥーストランシーバが送信中である場合を示すよう前記メディアアクセス制御層回路及び前記物理層回路の両方に前記送信アクティブ信号を供給する段階を更に有し、
前記物理層回路は、前記送信アクティブ信号の状態に基づいて前記送信アクティブ時ノイズ相殺行列又は前記送信非アクティブ時ノイズ相殺行列のいずれかを選択的に適用する、
請求項１４に記載の方法。
【請求項１６】
前記送信アクティブ時ノイズ相殺行列の適用は、前記ブルートゥーストランシーバが送信中である場合に前記ブルートゥーストランシーバによって生じる放射の影響を抑制し、
前記送信非アクティブ時ノイズ相殺行列の適用は、前記マルチラジオプラットフォームの要素によって生じるプラットフォームノイズの影響を抑制する、
請求項１５に記載の方法。
【請求項１７】
ブルートゥーストランシーバ及び無線ネットワークトランシーバを有するマルチラジオプラットフォームで使用される無線ネットワークトランシーバモジュールであって、
送信アクティブ時ノイズ相殺行列及び送信非アクティブ時ノイズ相殺行列を生成する処理回路と、
前記マルチラジオプラットフォームに存在するトランシーバによって提供される送信アクティブ信号に依存して、前記トランシーバが送信中である場合には前記送信アクティブ時ノイズ相殺行列を受信信号に適用し、前記トランシーバが送信中でない場合には前記送信非アクティブ時ノイズ相殺行列を受信信号に適用する物理層回路と
を有し、前記ブルートゥーストランシーバが送信しようとし且つ前記無線ネットワークトランシーバが受信しようとしている場合において、前記ブルートゥーストランシーバと前記無線ネットワークトランシーバとの間の分離度がより小さい場合、前記処理回路は、前記無線ネットワークトランシーバが受信中である場合に前記ブルートゥーストランシーバが送信することを妨げるよう時分割多重化（ＴＤＭ）技術を使用しかつ前記送信非アクティブ時ノイズ相殺行列を適用し、
前記ブルートゥーストランシーバが送信しようとし且つ前記無線ネットワークトランシーバが受信しようとしている場合において、前記ブルートゥーストランシーバと前記無線ネットワークトランシーバとの間の分離度がより大きい場合、前記処理回路は、前記送信アクティブ時ノイズ相殺行列又は前記送信非アクティブ時ノイズ相殺行列のいずれかを適用する、
無線ネットワークトランシーバモジュール。
【請求項１８】
前記物理層回路は、メディアアクセス制御回路が前記送信アクティブ時ノイズ相殺行列を計算することを可能にするよう前記トランシーバの送信アクティブ周期の間干渉サンプリングを実行し、
前記物理層回路は、前記メディアアクセス制御回路が前記送信非アクティブ時ノイズ相殺行列を計算することを可能にするよう前記トランシーバの送信非アクティブ周期の間前記干渉サンプリングを実行する、
請求項１７に記載の無線ネットワークトランシーバモジュール。
【請求項１９】
前記物理層回路は、前記トランシーバから供給された送信アクティブ信号に基づいて、前記物理層回路の受信信号経路における受信したディジタル信号に、送信アクティブ時ノイズ相殺行列又は送信非アクティブ時ノイズ相殺行列を選択的に適用する無相関器をを有する、
請求項１８に記載の無線ネットワークトランシーバモジュール。
【請求項２０】
前記物理層回路は、少なくとも２つの対応するアンテナにより信号を受信する少なくとも２つの受信信号経路を有し、
送信アクティブ時ノイズ相殺行列及び送信非アクティブ時ノイズ相殺行列は、前記メディアアクセス制御回路によって、受信信号経路ごとに、前記アンテナのうち対応する１つのアンテナにより受信される干渉サンプルから生成され、
前記受信信号経路に関する雑音相殺行列は、前記受信信号経路に関する前記無相関器によって適用される、
請求項１９に記載の無線ネットワークトランシーバモジュール。
【請求項２１】
当該無線ネットワークトランシーバモジュールは、ＩＥＥＥ８０２．１６標準規格に従って動作するＷｉＭＡＸトランシーバ、及びＩＥＥＥ８０２．１１標準規格に従って動作するＷＬＡＮトランシーバのうちの少なくとも１つを有し、
前記トランシーバは、ブルートゥーストランシーバである、
請求項２０に記載の無線ネットワークトランシーバモジュール。
【請求項２２】
ブルートゥーストランシーバ及びＷｉＭＡＸトランシーバを有するマルチラジオプラットフォームであって、
前記ＷｉＭＡＸトランシーバは、
前記ブルートゥーストランシーバが送信中である場合には前記ＷｉＭＡＸトランシーバによって受信される信号に送信アクティブ時ノイズ相殺行列を適用し、前記ブルートゥーストランシーバが送信中でない場合には前記ＷｉＭＡＸトランシーバによって受信される信号に送信非アクティブ時ノイズ相殺行列を適用する物理層回路と、
前記ブルートゥーストランシーバ送信しようとし且つ前記ＷｉＭＡＸトランシーバが受信しようとしている場合において、前記ブルートゥーストランシーバ及び前記ＷｉＭＡＸトランシーバ間の分離度が小さい場合、前記ブルートゥーストランシーバが前記ＷｉＭＡＸトランシーバが受信中である場合には送信しないように前記物理層回路に時分割多重化（ＴＤＭ）技術を使用させ、前記送信非アクティブ時ノイズ相殺行列を適用させる処理回路と
を有し、前記処理回路は、前記ブルートゥーストランシーバ及び前記ＷｉＭＡＸトランシーバ間の分離度が大きい場合、前記物理層回路に前記ＴＤＭ技術を使用させない、マルチラジオプラットフォーム。
【請求項２３】
前記ＷｉＭＡＸトランシーバは、
前記ブルートゥーストランシーバが送信中であるかどうかを示す送信アクティブ信号を前記ブルートゥーストランシーバから受信し、
前記送信アクティブ時ノイズ相殺行列又は前記送信非アクティブ時ノイズ相殺行列のいずれかを適用することによって前記送信アクティブ信号の受信に応答し、
前記ブルートゥーストランシーバの送信アクティブ周期の間干渉サンプリングを実行し、前記送信アクティブ周期の間に実行される干渉サンプリングに基づいて前記送信アクティブ時ノイズ相殺行列を計算し、
前記ブルートゥーストランシーバの送信非アクティブ周期の間干渉サンプリングを実行し、前記送信非アクティブ周期の間に実行される干渉サンプリングに基づいて前記送信非アクティブ時ノイズ相殺行列を計算する、
請求項２２に記載のマルチラジオプラットフォーム。
【請求項２４】
前記ＷｉＭＡＸトランシーバはＩＥＥＥ８０２．１６標準規格に従って動作する、
請求項２３に記載のマルチラジオプラットフォーム。
【発明の詳細な説明】
【技術分野】
【０００１】
本発明の実施形態は、コロケートされている（co-located）トランシーバを有する無線通信装置に関する。ある実施形態は干渉軽減に関する。ある実施形態は、ブルートゥーストランシーバと、例えばＷｉＭＡＸ（Worldwide  Interoperability  for  Microwave  Access）トランシーバ及び／又はＷｉＦｉ（Wireless  Fidelity）トランシーバ等の無線ネットワークトランシーバとを有する無線通信装置に関する。
【背景技術】
【０００２】
マルチラジオプラットフォームは、２又はそれ以上の通信技術を用いて通信するコロケートされているトランシーバを備えた無線通信装置である。マルチラジオプラットフォームに伴う問題は、コロケートされているトランシーバ間の干渉が、装置の通信能力を低下させるノイズ増大をもたらしうることである。これは、本質的に、ブルートゥーストランシーバと、例えばＷｉＭＡＸトランシーバ及び／又はＷｉＦｉトランシーバ等の無線ネットワークトランシーバとを有するマルチラジオプラットフォームにおける懸案事項である。なぜなら、これらのトランシーバの周波数スペクトルは互いに近く、重なり合っていることもあるからである。ブルートゥーストランシーバからの帯域外（ＯＯＢ（Out-of-band））放射と、プラットフォームとは、無線ネットワークトランシーバによる信号の受信と干渉することがある。
【発明の概要】
【発明が解決しようとする課題】
【０００３】
従って、概して、干渉の影響を低減すべく、コロケートされているトランシーバ間の動作を協調させるマルチラジオ無線通信装置及び方法が必要とされる。
【課題を解決するための手段】
【０００４】
上記の課題を解決するよう、ブルートゥーストランシーバ及び無線ネットワークトランシーバを有するコロケートされているラジオを有するマルチラジオプラットフォームであって、
前記無線ネットワークトランシーバは、
前記ブルートゥーストランシーバが送信中である場合に当該無線ネットワークトランシーバによって受信される信号に送信アクティブ時ノイズ相殺行列を適用し、
前記ブルートゥーストランシーバが送信中でない場合に当該無線ネットワークトランシーバによって受信される信号に送信非アクティブ時ノイズ相殺行列を適用し、
前記ブルートゥーストランシーバが送信中であるかどうかを示すよう前記ブルートゥーストランシーバから送信アクティブ信号を受信する、
マルチラジオプラットフォームが提供される。
【０００５】
また、上記の課題を解決するよう、マルチラジオプラットフォームの、ブルートゥーストランシーバ及び少なくとも１つの無線ネットワークトランシーバを有するコロケートされているラジオの間の干渉を抑制する方法であって、
前記ブルートゥーストランシーバが送信中である場合に前記無線ネットワークトランシーバによって受信される信号に送信アクティブ時ノイズ相殺行列を適用する段階と、
前記ブルートゥーストランシーバが送信中でない場合に前記無線ネットワークトランシーバによって受信される信号に送信非アクティブ時ノイズ相殺行列を適用する段階と
を有する方法が提供される。
【０００６】
また、上記の課題を解決するよう、マルチラジオプラットフォームで使用される無線ネットワークトランシーバモジュールであって、
送信アクティブ時ノイズ相殺行列及び送信非アクティブ時ノイズ相殺行列を生成する処理回路と、
コロケートされているトランシーバによって提供される送信アクティブ信号に依存して、前記コロケートされているトランシーバが送信中である場合には前記送信アクティブ時ノイズ相殺行列を適用し、前記コロケートされているトランシーバが送信中でない場合には前記送信非アクティブ時ノイズ相殺行列を適用する物理層回路と
を有する無線ネットワークトランシーバモジュールが提供される。
【０００７】
また、上記の課題を解決するよう、ブルートゥーストランシーバ及びＷｉＭＡＸトランシーバを有するコロケートされているラジオを有するマルチラジオプラットフォームであって、
前記ＷｉＭＡＸトランシーバは、
前記ブルートゥーストランシーバが送信中である場合には当該ＷｉＭＡＸトランシーバによって受信される信号に送信アクティブ時ノイズ相殺行列を適用し、前記ブルートゥーストランシーバが送信中でない場合には当該ＷｉＭＡＸトランシーバによって受信される信号に送信非アクティブ時ノイズ相殺行列を適用する物理層回路と、
前記物理層回路に、前記ＷｉＭＡＸトランシーバが受信中である場合に前記ブルートゥーストランシーバが送信することを妨げるよう時分割多重化（ＴＤＭ）技術を実施させ、前記送信非アクティブ時ノイズ相殺行列を適用させる処理回路と
を有する、マルチラジオプラットフォームが提供される。
【発明の効果】
【０００８】
本発明の実施形態によれば、コロケートされているトランシーバ間の干渉を低減することが可能となる。
【図面の簡単な説明】
【０００９】
【図１】ある実施形態に従うマルチラジオプラットフォームの機能図である。
【図２】ある実施形態に従う無線ネットワークトランシーバの一部の機能図である。
【図３】ある実施形態に従う共在インターフェースを有するマルチラジオプラットフォームの機能図である。
【図４】ある実施形態に従うメディアアクセス制御層回路によって実行されるプロシージャである。
【図５】ある実施形態に従う物理層回路によって実行されるプロシージャである。
【発明を実施するための形態】
【００１０】
以下の記載及び図面は、当業者が実施することができるほど十分に具体的な実施形態を説明するものである。他の実施形態は、構造上の、論理上の、電気的な、処理上の、及び他の変更を組み入れてよい。ある実施形態の部分及び特徴は、他の実施形態のそれらに含まれても、又はそれらと交換されてもよい。特許請求の範囲で示されている実施形態は、この特許請求の範囲の全ての利用可能な均等を包含する。
【００１１】
図１は、ある実施形態に従うマルチラジオプラットフォームの機能図である。マルチラジオプラットフォーム１０２は、例えばブルートゥース（ＢＴ）トランシーバ１０６等のトランシーバと、無線ネットワークトランシーバ１０４とを有してよい。図示されているように、無線ネットワークトランシーバ１０４は、物理（ＰＨＹ）層回路１１０及びメディアアクセス制御（ＭＡＣ）層回路１０８を有してよい。無線ネットワークトランシーバ１０４は、２又はそれ以上のアンテナ１０５により信号を受信してよい。ブルートゥーストランシーバ１０６は、短距離通信のためにアンテナ１０１を利用してよい。このようなコロケートされているラジオは、同じか又は近い周波数範囲内で動作してよく、従って、ラジオの１つによる送信は他のラジオによる受信と干渉することがある。例えば、ブルートゥーストランシーバ１０６による帯域外（ＯＯＢ）放射は、無線ネットワークトランシーバ１０４の受信周波数範囲内であってよく、無線ネットワークトランシーバ１０４による信号受信と干渉することがある。
【００１２】
従来のプラットフォームノイズ相殺（ＰＮＣ（platform  noise  cancellation））技術は、この従来の技術は帯域外放射がプラットフォームノイズの一部であると仮定しているので、干渉を相殺するには不十分である。ブルートゥーストランシーバ１０６が送信中である場合に起こる干渉（例えば、ＯＯＢ放射）は、ブルートゥーストランシーバ１０６が送信中でない場合に起こる干渉（すなわち、プラットフォームノイズ）とは大いに異なっている。
【００１３】
実施形態に従って、無線ネットワークトランシーバ１０４は、ブルートゥーストランシーバ１０６が送信中である場合には、無線ネットワークトランシーバ１０４によって受信される信号に第１のノイズ相殺行列（ノイズを相殺するために使用され、本願では「送信アクティブ時ノイズ相殺行列」と言及される）を適用し、ブルートゥーストランシーバ１０６が送信中でない場合には、無線ネットワークトランシーバ１０４によって受信される信号に第２のノイズ相殺行列（ノイズを相殺するために使用され、本願では「送信非アクティブ時ノイズ相殺行列」と言及される）を適用する。送信アクティブ時ノイズ相殺行列の適用は、ブルートゥーストランシーバ１０６が送信中である場合にブルートゥーストランシーバ１０６によって生成される放射の影響を抑制することができる。送信非アクティブ時ノイズ相殺行列の適用は、マルチラジオプラットフォーム１０２の要素によって生成されるプラットフォームノイズの影響を抑制することができる。ブルートゥーストランシーバ１０６の状態についてのリアルタイムの情報により、適切なノイズ相殺行列が選択されることを可能にし、従来の技術に対して改善されたノイズ相殺効果を提供する。
【００１４】
これらの実施形態で、ブルートゥーストランシーバ１０６によって生成される放射は、ブルートゥーストランシーバ１０６の高調波等のＯＯＢ放射と、無線ネットワークトランシーバ１０４の受信周波数範囲内にある他の放射とを含みうる。プラットフォームノイズは、液晶ディスプレイ（ＬＣＤ）等のディスプレイによって生成されるノイズと、マルチラジオプラットフォーム１０２のＰＣＩエクスプレスバスによって生成されるノイズとを含みうる。これらのノイズは、無線ネットワークトランシーバ１０４の受信周波数範囲内にある。
【００１５】
ある実施形態で、無線ネットワークトランシーバ１０４は、ブルートゥーストランシーバ１０６の送信アクティブ周期の間干渉サンプリングを実行し、送信アクティブ周期の間に実行される干渉サンプリングに基づいて送信アクティブ時ノイズ相殺行列を計算してよい。無線ネットワークトランシーバ１０４は、ブルートゥーストランシーバ１０６の送信非アクティブ周期の間干渉サンプリングを実行し、送信非アクティブ周期の間に実行される干渉サンプリングに基づいて送信非アクティブ時ノイズ相殺行列を計算してよい。
【００１６】
ある実施形態で、干渉サンプリング及びノイズ相殺行列の１つの選択的な適用は、物理層回路１１０によって実行される。ノイズ相殺行列はＭＡＣ層回路１０８によって生成される。ＭＡＣ層回路１０８は、ブルートゥーストランシーバ１０６及び無線ネットワークトランシーバ１０４の動作を協調させるようＭＡＣ−Ｃ（MAC-Coordinate）技術を実施してよい。以下でより詳細に論じられる幾つかの実施形態で、ＰＮＣ技術が、干渉軽減のために、ＭＡＣ−Ｃ技術と組み合わされてよい。
【００１７】
ある実施形態で、ブルートゥーストランシーバ１０６は、共在（coexistence）インターフェース１０３を介してＭＡＣ層回路１０８及び物理層回路１１０の両方に送信アクティブ信号１２３を供給してよい。送信アクティブ信号１２３は、ブルートゥーストランシーバ１０６が積極的に送信している（すなわち、送信アクティブ周期にあり、送信非アクティブ周期にはない）ことを示すことができる。かかる実施形態で、無線ネットワークトランシーバ１０４は、送信アクティブ信号１２３の状態に基づいて、受信されるデジタル信号に、送信アクティブ時ノイズ相殺行列又は送信非アクティブ時ノイズ相殺行列のいずれかを選択的に適用してよい。
【００１８】
ある実施形態で、物理層回路１１０は、ブルートゥーストランシーバ１０６が送信中である場合にのみ、無線ネットワークトランシーバ１０４によって受信される信号に送信アクティブ時ノイズ相殺行列を適用し、ブルートゥーストランシーバ１０６が送信中でない場合には送信アクティブ時ノイズ相殺行列を適用しない。
【００１９】
送信アクティブ時ノイズ相殺行列及び送信非アクティブ時ノイズ相殺行列はノイズ相殺行列と呼ばれるが、当然に、それらが、本質的に、受信信号に含まれる全ノイズを相殺する必要はない。受信信号へのノイズ相殺行列の適用は、ノイズ及び干渉を低減し又は軽減することを目的としている。
【００２０】
ある実施形態で、送信アクティブ信号１２３は、ＭＡＣ−Ｃインターコネクトを介して供給されてよい。ある実施形態で、送信アクティブ信号１２３は、共在インターフェース１０３等のインターフェースのピン（pin）１を介してＭＡＣ層回路１０８に供給されてよく、送信アクティブ信号１２３は、インターフェースのピン２を介して物理層回路１１０に供給されてよい。以下でより詳細に論じられる幾つかの実施形態で、共在インターフェース１０３は４線式インターフェースであってよい。ある実施形態で、ＭＡＣ層回路１０８は、無線ネットワークトランシーバ１０４及びブルートゥーストランシーバ１０６の動作の優先順位を決めて調停（アービトレーション）を行うようそれらのトランシーバの送信及び受信状態を用いてＭＡＣ−Ｃ機能性を実施するように構成されてよい。ＭＡＣ−Ｃ機能性は、これらの送信及び受信動作の優先順位を決めて調停を行うのを助けるようインターフェースを利用してよい。
【００２１】
ある実施形態で、無線ネットワークトランシーバ１０４は、ＭＩＭＯ（multiple-input  multiple-output）トランシーバとして動作してよい。信号は、ダイバーシティモード又は非ダイバーシティモードのいずれかで受信されてよい。ダイバーシティモードでは、同じ情報信号が、２又はそれ以上のアンテナ１０５による受信のために、２又はそれ以上のアンテナによって２又はそれ以上の空間チャネルを通じて送信される。非ダイバーシティモードでは、２又はそれ以上の異なった情報信号が、２又はそれ以上のアンテナ１０５による受信のために、空間チャネルを通じて送信される。
【００２２】
ある実施形態で、コロケートされているラジオは、同じか又は近い周波数バンド内で動作してよい。この周波数バンドは２．４から２．６ギガヘルツ（ＧＨｚ）の周波数バンドを有してよいが、実施形態の適用範囲はこれに限られない。
【００２３】
ある実施形態で、無線ネットワークトランシーバ１０４は、例えばＷｉＭＡＸトランシーバ又は３ＧＰＰ  ＬＴＥトランシーバ等のブロードバンド無線アクセス（ＢＷＡ）ネットワークトランシーバであってよい。他の実施形態で、無線ネットワークトランシーバ１０４は、例えばＷｉＦｉトランシーバ等の無線ローカルエリアネットワーク（ＷＬＡＮ）トランシーバであってよい。ある実施形態で、マルチラジオプラットフォーム１０２は、２又はそれ以上の無線ネットワークトランシーバ１０４を有してよい。かかる実施形態で、マルチラジオプラットフォーム１０２は、ＢＷＡネットワークトランシーバ及びＷＬＡＮトランシーバと、ブルートゥーストランシーバ１０６とを有してよい。
【００２４】
ある実施形態で、ＷｉＭＡＸトランシーバはＩＥＥＥ８０２．１６標準に従って動作してよく、ＷＬＡＮトランシーバはＩＥＥＥ８０２．１１標準に従って動作してよい。ブルートゥーストランシーバ１０６はブルートゥーストランシーバとして記載されているが、実施形態の適用範囲はこれに限られず、実施形態は、無線ネットワークトランシーバ１０４との干渉を発生させうる如何なる短距離周波数ホッピングトランシーバにも適用可能である。ある実施形態で、ブルートゥーストランシーバ１０６は、ブルートゥーストランシーバ１０６が無線ネットワークトランシーバによって使用される周波数バンドにホッピングすることを妨げるよう、適応周波数ホッピングモードで動作するように構成されてよい。本願で使用されている語「ブルートゥース」は、２．４ＧＨｚスペクトルで動作する短距離無線プロトコル周波数ホッピングスペクトル拡散（ＦＨＳＳ（frequency-hopping  spread-spectrum））通信技術を含む短距離デジタル通信プロトコルと呼ばれることがある。
【００２５】
ハードウェア実施の物理層による実施形態で、物理層回路１１０は、干渉サンプリング及びノイズ相殺行列の選択的な適用を行うよう、１又はそれ以上の特定用途向け集積回路（ＡＳＩＣ）及び／又は１又はそれ以上のデジタル信号プロセッサ（ＤＳＰ）を有してよい。ＭＡＣ層回路１０８は、ノイズ相殺行列の計算を含むＭＡＣ層機能を実行するよう、１又はそれ以上のソフトウェア構成プロセッサを有してよい。ＭＡＣ層回路１０８のソフトウェア構成プロセッサは、例えばＡＲＭ又はＡＲＣプロセッサ等の汎用プロセッサを有してよいが、実施形態の適用範囲はこれに限られない。
【００２６】
ソフトウェアにより構成されたラジオに係る実施形態で、物理層回路１１０は、かかる実施形態における干渉サンプリング及びノイズ相殺行列の選択的な適用の実行を含む物理層機能を実行するよう設定可能な１又はそれ以上のソフトウェア構成プロセッサを有してよく、マルチラジオプラットフォームはソフトウェア構成のラジオであってよい。物理層回路１１０のソフトウェア構成プロセッサは、例えばＡＲＭ又はＡＲＣプロセッサ等の汎用プロセッサを有してよいが、実施形態の適用範囲はこれに限られない。
【００２７】
ある実施形態で、無線ネットワークトランシーバ１０４は、マルチキャリア通信チャネルを介して直交周波数分割多重化（ＯＦＤＭ）通信信号をやり取りするよう構成されてよい。ＯＦＤＭ信号は複数の直交サブキャリアを有してよい。かかるマルチキャリア実施形態の幾つかにおいて、無線ネットワークトランシーバ１０４は、例えば無線アクセスポイント（ＡＰ）、基地局、又はＷｉＦｉ（Wireless  Fidelity）デバイスを含むモバイルデバイス等の無線ローカルエリアネットワーク（ＷＬＡＮ）通信局の部分であってよい。あるブロードバンドマルチキャリア実施形態で、無線ネットワークトランシーバ１０４は、例えばＷｉＭＡＸ通信局等のブロードバンド無線アクセス（ＢＷＡ）ネットワーク通信局の部分であってよい。その他のブロードバンドマルチキャリア実施形態で、無線ネットワークトランシーバ１０４は、第３世代パートナーシッププロジェクト（３ＧＰＰ）ユニバーサル地上無線アクセスネットワーク（ＵＴＲＡＮ）ロングタームエボリューション（ＬＴＥ）又はロングタームエボリューション（ＬＴＥ）通信局であってよいが、本発明の適用範囲はこれに限られない。かかるブロードバンドマルチキャリア実施形態で、無線ネットワークトランシーバ１０４は、直交周波数分割多重アクセス（ＯＦＤＭＡ）技術に従って通信を行ってよい。
【００２８】
ある実施形態で、無線ネットワークトランシーバ１０４は、例えばスペクトル拡散変調（例えば、直接シーケンス符号分割多重アクセス（ＤＳ−ＣＤＭＡ））及び／又は周波数ホッピング符号分割多重アクセス（ＦＨ−ＣＤＭＡ）、時分割多重化（ＴＤＭ変調）、及び／又は周波数分割多重化（ＦＤＭ）変調等の１又はそれ以上の他の変調技術に従って通信を行ってよいが、実施形態の適用範囲はこれに限られない。
【００２９】
ある実施形態で、マルチラジオプラットフォーム１０２は、例えばパーソナルデジタルアシスタント（ＰＤＡ）、無線通信機能を備えたラップトップ型又はポータブル型コンピュータ、ウェブタブレット、無線携帯電話機、無線ヘッドセット、ページャ（pager）、インスタントメッセージング（ＩＭ）デバイス、デジタルカメラ、アクセスポイント、テレビ受像機、医療デバイス（例えば、心拍モニタ、血圧モニタ等）、あるいは、無線で情報を受信及び／又は送信することができる他のデバイス等の携帯型無線通信デバイスの部分であってよい。
【００３０】
アンテナ１０５は、例えばダイポールアンテナ、モノポールアンテナ、パッチアンテナ、ループアンテナ、マイクロストリップアンテナ、又はＲＦ信号の伝送に適した他のタイプのアンテナを含む１又はそれ以上の指向性又は無指向性アンテナを有してよい。ある実施形態で、２又はそれ以上のアンテナに代えて、複数の開口を有する単一のアンテナが使用されてよい。かかる実施形態で、各開口は別個のアンテナと考えられてよい。ＭＩＭＯに係る実施形態で、アンテナ１０５は、アンテナ１０５の夫々と送信局のアンテナとの間で結果として生じる様々なチャネル特性及び空間ダイバーシティを利用するよう効果的に分離されてよい。ＭＩＭＯにかかる実施形態で、アンテナ１０５は、最大で波長の１／１０以上だけ分離されてよい。
【００３１】
図２は、ある実施形態に従う図１の無線ネットワークトランシーバ１０４の一部の機能図である。無線ネットワークトランシーバ１０４は、物理層回路１１０及びＭＡＣ層回路１０８を有してよい。物理層回路１１０は、２又はそれ以上の受信信号経路を有してよい。夫々の受信信号経路は、ＲＦ／ＡＤＣ回路２０２及び無相関器（decorrelator）２０４を有してよい。ＲＦ／ＡＤＣ回路２０２は、アンテナ１０５により受信されるＲＦ信号をダウンコンバートしデジタル化して、無相関器２０４の夫々にデジタル信号２１３を提供するＲＦフロントエンド回路を有してよい。無相関器２０４は、デジタル信号２１３に送信アクティブ時ノイズ相殺行列又は送信非アクティブ時ノイズ相殺行列のいずれかを選択的に適用してよい。物理層回路１１０は、また、無相関器２０４によって供給される信号を結合し、復調し、復号して、単一ビットストリームをＭＡＣ層回路１０８に供給する復調及び復号化回路２１４を有してよい。
【００３２】
ある実施形態で、夫々の無相関器２０４は、ブルートゥーストランシーバ１０６（図１）によって供給される送信アクティブ信号１２３に基づいて、無線ネットワークトランシーバ１０４の受信信号経路内で、受信デジタル信号２１３に送信アクティブ時ノイズ相殺行列又は送信非アクティブ時ノイズ相殺行列のいずれかを選択的に適用してよい。ある実施形態で、物理層回路１１０は、送信アクティブ信号１２３に基づいて適切なノイズ相殺行列を選択するセレクタ２０６を有してよい。かかる実施形態で、ＭＡＣ層回路１０８（図１）は、アンテナ１０５により受信される干渉サンプル２１２から送信アクティブ時ノイズ相殺行列２１０及び送信非アクティブ時ノイズ相殺行列２０８を生成してよい。
【００３３】
少なくとも２つの対応するアンテナ１０５により信号を受信するよう少なくとも２つの受信信号経路を有する実施形態で、ＭＡＣ層回路１０８（図１）は、受信信号経路ごとに、アンテナ１０５の中の対応する１つのアンテナにより受信される干渉サンプル２１２から、送信アクティブ時ノイズ相殺行列２１０及び送信非アクティブ時ノイズ相殺行列２０８を生成してよい。物理層回路１１０は、適切な受信信号経路に関連するノイズ相殺行列を、その受信信号経路に付随する無相関器２０４に適用してよい。図２に表されている例では、受信信号経路は３つであり、各受信信号経路は、アンテナ１０５、ＲＦ／ＡＤＣ回路２０２及び無相関器２０４に結合されている。かかる実施形態で、ＭＡＣ層回路１０８は、受信信号経路ごとの送信アクティブ時ノイズ相殺行列２１０と、受信信号経路ごとの送信非アクティブ時ノイズ相殺行列２０８とを生成してよい。夫々の無相関器２０４は、その受信信号経路に関連するノイズ相殺行列を与えられてよい。
【００３４】
ある実施形態で、ＭＡＣ層回路１０８は、ブルートゥーストランシーバ１０６が送信アクティブ周期又は送信非アクティブ周期のいずれにあるのかに依存して、物理層回路１１０に干渉サンプル２１２を要求してよい。ある実施形態で、ＭＡＣ層回路１０８は、周期的に物理層回路１１０に干渉サンプル２１２を要求してよい。ある実施形態で、干渉サンプル２１２は、ＲＦ／ＡＤＣ回路２０２によって与えられるＩ／Ｑサンプルであってよい。
【００３５】
ある実施形態で、ＭＡＣ層回路１０８がノイズ相殺行列を計算した後、ＭＡＣ層回路１０８は、受信信号へのその後の適用のためのメモリ２０９における記憶のために、ノイズ相殺行列を物理層回路１１０に供給する。メモリ２０９は物理層回路１１０に結合されてよい。
【００３６】
図３は、ある実施形態に従う４線式インターフェースを有するマルチラジオプラットフォームの機能図である。かかる実施形態で、マルチラジオプラットフォーム３０２は、ＩＥＥＥ８０２．１６標準に従って動作するＷｉＭＡＸ無線モジュール３０４Ａ、及びＩＥＥＥ８０２．１１標準に従って動作するＷｉＦｉ無線モジュール３０４Ｂのうちの少なくとも１つを有してよい。かかる実施形態で、送信アクティブ信号１２３（例えば、ＢＴ＿ＡＣＴ）は、インターフェース３０３を介してＷｉＭＡＸ無線モジュール３０４Ａ及び／又はＷｉＦｉ無線モジュール３０４Ｂに供給されてよい。かかる実施形態に従って、ＷｉＭＡＸ無線モジュール３０４Ａ及びＷｉＦｉ無線モジュール３０４Ｂは、無線ネットワークトランシーバ１０４（図１）に対応する。ある実施形態で、インターフェース３０３は４線式インターフェースであってよい。
【００３７】
かかる実施形態で、ＷｉＭＡＸ無線モジュール３０４Ａは、２つの別々の導電性パスにおいてブルートゥーストランシーバ１０６にＷｉＭＡＸアクティブ信号及びフレーム同期信号を供給するよう共在インターフェース（例えば、インターフェース３０３）を利用する共在（co-exist）コントローラを有してよい。共在コントローラは、また、インターフェース３０３の２つの更なる別々の導電性パスで、ブルートゥーストランシーバ１０６から送信アクティブ信号１２３及びブルートゥース要求信号を受信してよい。かかる実施形態で、ＷｉＭＡＸアクティブ信号は、ＷｉＭＡＸ無線モジュール３０４Ａが受信中であることを示すよう、ＷｉＭＡＸ無線モジュール３０４Ａによってダウンリンクサブフレームの受信中に共在コントローラによってアサートされてよい。
【００３８】
ある実施形態で、ブルートゥーストランシーバ１０６が送信中であり且つ無線ネットワークトランシーバ１０４が受信中であるときにブルートゥーストランシーバ１０６と無線ネットワークトランシーバ１０４（図１）との間にほとんど分離がない場合、又はブルートゥーストランシーバ１０６の送信電力レベルが高い場合、無線ネットワークトランシーバ１０４のフロントエンドは飽和状態になり、又はブルートゥーストランシーバ１０６の送信によって圧縮状態になりうる。かかる実施形態で、ネットワークトランシーバアクティブ信号１２５（例えば、ＷｉＭＡＸ＿ＡＣＴ又はＷＬＡＮ＿ＡＣＴ）は、無線ネットワークトランシーバ１０４が受信中である場合にブルートゥーストランシーバ１０６が送信を行うことを妨げるために使用されてよい。かかる実施形態で、ＭＡＣ−Ｃは、無線ネットワークトランシーバ１０４が受信中でない場合にブルートゥーストランシーバ１０６が送信を行うことを可能にするよう時分割多重化（ＴＤＭ）を実行してよい。かかる実施形態で、無線ネットワークトランシーバ１０４は、無線ネットワークトランシーバ１０４が受信中である場合に、無線ネットワークトランシーバ１０４によって受信される信号に送信非アクティブ時ノイズ相殺行列を適用する。
【００３９】
実施形態で、ブルートゥーストランシーバ１０６が送信中であり且つ無線ネットワークトランシーバ１０４が受信中であるときにブルートゥーストランシーバ１０６と無線ネットワークトランシーバ１０４との間により大きな分離がある場合、又はブルートゥーストランシーバ１０６の送信電力レベルが低い（例えば、０ｄＢｍ）場合、フロントエンドの飽和又は圧縮はあまり問題とならず、ＯＯＢ干渉が優勢となりうる。かかる実施形態で、本願で開示されるＰＮＣ技術が使用されてよい。かかる実施形態で、無線ネットワークトランシーバ１０４は、ブルートゥーストランシーバ１０６が送信中である場合には、無線ネットワークトランシーバ１０４によって受信される信号に送信アクティブ時ノイズ相殺行列を適用し、ブルートゥーストランシーバ１０６が送信中でない場合には、無線ネットワークトランシーバ１０４によって受信される信号に送信非アクティブ時ノイズ相殺行列を適用する。このようなＰＮＣ技術の使用は、ＭＡＣ−Ｃ  ＴＤＭ技術を行うように、ブルートゥーストランシーバ１０６の送信時間を制限しない。ある実施形態で、マルチラジオプラットフォーム１０２（図１）は、必須ではないが、ＰＮＣ技術のＭＡＣ−Ｃ  ＴＤＭ技術を使用するべきかどうかを決定するよう分離測定を実行してよい。
【００４０】
図４は、ある実施形態に従うメディアアクセス制御層回路によって実行されるプロシージャである。プロシージャ４００は、干渉相殺行列を生成するようＭＡＣ層回路１０８（図１）によって実行されてよい。
【００４１】
動作４０２で、ＭＡＣ層回路１０８は、物理層回路１１０（図１）に干渉サンプルを要求してよい。その要求は、ブルートゥーストランシーバ１０６（図１）の送信アクティブ信号１２３（図１）の状態に基づいてよい。
【００４２】
動作４０４で、ＭＡＣ層回路１０８は、物理層回路１１０から干渉サンプルを受信してよい。ある実施形態で、干渉サンプル２１２（図２）は、ＲＦ／ＡＤＣ回路２０２（図２）によって供給されるＩ／Ｑサンプルであってよい。
【００４３】
動作４０６で、ＭＡＣ層回路１０８は、送信アクティブ信号１２３の状態に基づいて、干渉サンプルが受信されたときにブルートゥーストランシーバ１０６が積極的に送信中であったかどうかを送信アクティブ信号１２３が示しているかどうかを決定してよい。ブルートゥーストランシーバ１０６が積極的に送信中であった場合に、動作４０８が実行される。ブルートゥーストランシーバ１０６が積極的に送信中でなかった場合には、動作４１０が実行される。
【００４４】
動作４０８で、ＭＡＣ層回路１０８は、送信アクティブ時ノイズ相殺行列を計算する。動作４１０で、ＭＡＣ層回路１０８は、送信非アクティブ時ノイズ相殺行列を計算する。ある実施形態で、ＭＡＣ層回路１０８は、夫々のアンテナ１０５（図１）についての干渉サンプルに基づいて、受信信号経路ごとのノイズ相殺行列を計算してよい。
【００４５】
動作４１２で、ＭＡＣ層回路１０８は、動作４０８で計算されたノイズ相殺行列を物理層回路１１０に与える。
【００４６】
動作４１４は周期的に動作４０２〜４１２を繰り返すことを含み、これにより、送信アクティブ時ノイズ相殺行列及び送信非アクティブ時ノイズ相殺行列は、状態変化につれて更新されてよい。
【００４７】
図５は、ある実施形態に従う物理層回路によって実行されるプロシージャである。プロシージャ５００は、受信されるシンボルに対して干渉軽減を実行するよう物理層回路１１０（図１）によって実行されてよい。
【００４８】
動作５０２で、受信シンボルが処理される。ＯＦＤＭに係る実施形態で、受信シンボルはＯＦＤＭシンボルであってよい。
【００４９】
動作５０４で、物理層回路１１０は、送信アクティブ信号１２３（図１）の状態に依存して、送信アクティブ時ノイズ相殺行列又は送信非アクティブ時ノイズ相殺行列のいずれかを選択されてよい。
【００５０】
動作５０６で、物理層回路１１０は、選択されたノイズ相殺行列を受信シンボルに適用してよい。ある実施形態で、選択されたノイズ相殺行列は無相関器２０４（図２）によって適用されてよい。ある実施形態で、ノイズ相殺行列は受信信号経路ごとに選択されてよい。
【００５１】
動作５０８は、受信された信号における干渉の影響を軽減するよう、受信されるシンボルごとに、動作５０２〜５０６を繰り返す。
【００５２】
要約は、読む者が技術的開示の性質及び要点を確認することを可能にする要約を要求する３７Ｃ．Ｆ．Ｒ．セクション１．７２（ｂ）に従うべく提供されている。それは、特許請求の範囲の適用範囲又は意義を限定し又は解釈するためには用いられないという理解の下提出されている。特許請求の範囲は詳細な説明に組み入れられており、各請求項は別々の実施形態として自立している。
【符号の説明】
【００５３】
１０１，１０５  アンテナ
１０２，３０２  マルチラジオプラットフォーム
１０３  共在インターフェース
１０４  無線ネットワークトランシーバ
１０６  ブルートゥース（ＢＴ）トランシーバ
１０８  メディアアクセス制御（ＭＡＣ）層回路
１１０  物理（ＰＨＹ）層回路
１２３  送信アクティブ信号
１２５  ネットワークトランシーバアクティブ信号
２０２  ＲＦ／ＡＤＣ回路
２０４  無相関器
２０６  セレクタ
２０８  送信非アクティブ時ノイズ相殺行列
２０９  メモリ
２１０  送信アクティブ時ノイズ相殺行列
２１２  干渉サンプル
２１３  デジタル信号
２１４  復調及び復号化回路
３０３  インターフェース
３０４Ａ  ＷｉＭＡＸ無線モジュール
３０４Ｂ  ＷｉＦｉ無線モジュール
【図１】
0005587157.tif 000002
【図２】
0005587157.tif 000003
【図３】
0005587157.tif 000004
【図４】
0005587157.tif 000005
【図５】
0005587157.tif 000006